Podtech/llm-jp-corpus-v4-ja_patent huggingface dataset:
(57)【要約】      （修正有）【課題】改良に係る逆発想の構成であり、下敷上に錠剤入れ容器を逆載し、目的として金属製シート部より直接錠剤とカプセルを衛生的に掬いやすくするための、錠剤掬い器具を提供する。【解決手段】掬い器具本体の鋭利な口経部を、Ｌ形状のＡ、Ｂ部に二分し、Ａ部は、金属製シート９の範囲を押し切りし、出口を設け、連動して口経Ｂ部の形態が壁体シートを形成し、落下防止を設けた掬い器具本体に取っ手２を設け、取っ手２の後面に、ゴムキャップ４を嵌め、錠剤７を衛生的方法により外部に掬い出しすることを特徴とする錠剤掬い器具。【選択図】図２
2014073350.tif 000002
【特許請求の範囲】
【請求項１】
掬い器具本体の鋭利な口経部を、Ｌ形状のＡ、Ｂ部に二分し、Ａ部は、金属製シートの範囲を押し切りし、出口を設け、連動して口経Ｂ部の形態が壁体シートを形成し、前記シートによる落下防止を設けた掬い器具本体に、取っ手を設け、前記取っ手の後面に、ゴムキャップを嵌め、錠剤を衛生的方法により外部に掬い出しすることを特徴とする錠剤掬い器具。
【発明の詳細な説明】
【技術分野】
【０００１】  本発明は、改良に係わる逆発想の構成であり、下敷き上に錠剤入れ容器を逆載し、目的として金属性シート部より直接錠剤とカプセルを衛生的に掬いやすくするための、錠剤掬い器具に関するものである。
【背景技術】
【０００２】  従来、錠剤を容器から押し出す時には、容器にもよるが硬い凸部を指で強く押さないと金属性シートが半開きになり、錠剤が妨げられ止められているので指先で撮み出していたのが常識であった。
【発明の開示】
【発明が解決しようとする課題】
【０００３】  そのために、次のような問題点があった。
（イ）消毒しない汚れた指先で錠剤を撮み、沢山の薬物を手の平に乗せて、服用している      状態を見掛けたことが多々あった。
（ロ）容器からの押し出す方法の欠点は、高期高齢者に特に多く見られるが１本の親指又      は、両手の親指を利用することにより容器からの出がそれぞれ困難を極めているの      が現状であり、金属性シートの欠片が沢山の錠剤に混入され見分けがつかなく、そ      のまま服用し胃の粘膜に付着して胃痛を起し病院での欠片落しの洗浄は珍しくなか      った。また、錠剤になる以前は、粉末薬を紙袋で包装され上記の事件は皆無に等し      かった。
本発明は、以上の問題点を解決しようとするものである。
【課題を解決するための手段】
【０００４】  掬い器具本体の鋭利な口経部をＬ形状Ａ、Ｂ部に二分し、Ａ部は、金属製シートの範囲を押し切りし、出口を設け、連動して口経Ｂ部の形態が壁体シートを形成し、前記シートによる落下防止を設けた掬い器具本体に、取っ手を設け、前記取っ手の後面に、平手、指に優しいエア凸部のある柔軟なゴムキャップを嵌め、錠剤を外部に掬い出しする。以上を特徴とする錠剤掬い器具である。
【発明の効果】
【０００５】  本発明は、下敷き上に金属製シートを上向きに載せ、シート範囲内に掬い器具本体の口経部を直接刺し込むことにより、錠剤出口と壁体が自動的に形成され、錠剤を簡単に掬い出すことができる。したがって、金属製シートの半開きに錠剤が停滞し、汚れた指先で撮み取り、手の平に乗せ服用する非衛生的方法をとることのない掬い器具を提供できる。
【図面の簡単な説明】
【０００６】
【図１】  本発明の斜視図
【図２】  本発明の分解斜視図
【図３】  従来の押し出す式使用状態を示す図
【図４】  本発明の使用状態を示す斜視図
【符号の説明】
【０００７】  １．掬い器具本体
２．取っ手具
３．錠剤受け止め具
４．ゴムキャップ
５．エア凸部
６．キャップ
７．錠剤
８．壁体
９．金属製シート
１０．下敷き
１１．出口
【発明を実施するための形態】
【０００８】  以下、本発明の実施形態について説明する。
（イ）掬い器具（１）からなる鋭利な口経１センチメートルを、Ｌ形状に二分して、それ      ぞれＡ部、Ｂ部とする。
（ロ）口経Ａ、Ｂ部からやや離れた箇所に錠剤止め具（３）を設ける。
（ハ）掬い器具本体（１）に取っ手（２）が設けられ、取っ手（２）の後面に柔軟な、エ      ア凸部のあるゴムキャップ（４）を嵌め込む。
本発明は、以上の構成よりなっている。
本発明を使用するときは、上記の錠剤掬い器具本体（１）を、金属製シート（９）の範囲内にある錠剤下部の透き間に直接押し切るように垂直に突き刺し、二分された鋭利な口経Ａ部により出口（１１）が形成され、連動して空虚に形成された口経Ｂ部により切り残されたシート（９）は、壁体（８）の基盤を自在に形成し、錠剤の落ちこぼれを防止する。また、掬いあげるには錠剤を前記壁体（８）に添わせるように筒内に入れ錠剤受け止め具（３）により受け止められるように形成されている。上記操作の方法として、平手、指に優しいエア凸部（５）のある柔軟なゴムキャップ（４）を設けることにより、掬いによる押し圧に刺激を感じとることが皆無に等しい。
【図１】
2014073350.tif 000003
【図２】
2014073350.tif 000004
【図３】
2014073350.tif 000005
【図４】
2014073350.tif 000006
(57)【要約】【課題】人間の体は常に発熱しており、特に夏の暑い季節などは脇の下、内股、足先などから汗がふきだすように出てきて非常に不快な状態になります。これは、汗に含まれる水分が外に出ることができず、雑菌が水分と暑さを得て繁殖することにより水虫や汗疹が発生しやすい状態になり、不快に感ずる原因です。【解決手段】これを解消するため内側が孔の開いた１Ａボタンと３Ｃボタンなどで靴などの生地を挟みボタンのネジを締めて固定し、２つのボタンの孔を通して空気の通り口を設けることにより内側の湿った空気を外に出し、歩いたり風が吹いたりすれば空気の流れが生じエアコンの冷気や暖房の暖気などの外側の空気を素早く靴などの内側に取り込み、靴などの足先を快適な状態にすることができます。  また、孔のないボタンを使用すれば空気の流れは止まり靴などの内部の温度を保ち雨などの侵入を防いだり、表面のボタンの色や形を変えてワンポイントデザインを楽しむことができます。【選択図】図１
2014073342.tif 000002
【特許請求の範囲】
【請求項１】
金属製又はプラスチック製でできた凸型状の突起部内側に孔を開け突起部の外側にネジ山のあるボタン（Ａボタン）と、その底部に小さな数個の突起と磁気を帯びたボタン（Ｂボタン）を用意する。
金属製又はプラスチック製でできた凹型状の内側に、前記Ａボタンの突起部と適合するネジ山があり底部からボタン内側に孔のあるボタン（Ｃボタン）を用意する。
上記Ｂボタンの底部の孔が塞がったボタンを用意する。（Ｄボタン）
衣料用の凸型状の突起部内側に孔のあるボタン（Ｅボタン）とそのＥボタンの底部に小さな数個の突起と磁気を帯びたボタン（Ｆボタン）を用意し、別の内側に孔の開いた凸型ボタン（Ｇボタン）とで靴などの生地を挟み打ち具と金槌で打ち込み固定する。
前記Ｇボタン口径に適合し、底部に孔のある凹型状のボタン（Ｈボタン）と低部の孔が塞がったボタン（Ｉボタン）を用意し、前記Ｅボタン又はＦボタンに装着する。
また、靴などの生地にＪボタンと小さな突起と磁気を帯びたＫボタンを用意し靴などの生地に取り付け、別の内側に孔の開いた凸型ボタン（Ｌボタン  鳩目ボタン）とで靴などの生地を挟み打ち具と金槌で打ち込み固定する。
その鳩目ボタンの口径に適合し、低部に孔のある凹型状のボタン（Ｍボタン）と孔のない凹型状ボタン（Ｎボタン）を用意し、前記Ｊボタン又はＫボタンに装着する。
上記ＡボタンからＬボタンまでの装着した靴などの履物やシャツなどの衣料品。
【発明の詳細な説明】
【技術分野】
【０００１】  本発明は靴や衣料品の生地に孔をあけ、そこに孔のあるボタンを差し込み他方の孔のあるボタンをとで生地を挟んで固定して、通気性の改善とマッサージ効果を得ることができるようにしたものである。
【背景技術】
【０００２】  従来は、通気性の改善とマッサージ効果を得ることができる器具は少なかった。
【発明の開示】
【発明が解決しようとする課題】
【０００３】  人間の体は常に発熱しており、足先も同様である。特に夏の暑い時期など、従来の靴やシャツなどでは汗が噴出し不快になり涼しくするためにはエアコンなどを使用するしか方法がなかった。  本発明はこの課題を解決するためになされたものである。
【課題を解決するための手段】
【０００４】  図１−ａの通り、金属製又はプラスチック製の凸型の突起部内側に孔が開き外側にネジ山を入れた１Ａボタンを用意する。次に金属製又はプラスチック製で凹型の底部に穴が開き内側にネジ山があり１Ａボタンの突起部と適応する口径を有する３Ｃボタンを用意する。靴などの生地生地に穴を開け１Ａボタンを差し込み３Ｃボタンとで生地を挟むようにネジを回して固定する。
１Ａボタンの底部に磁気や小さな突起を設けた２Ｂボタン、３Ｃボタンの底部の孔が塞がった４Ｄボタンとの組み合わせは自由にでき、また、図１−ｂの１１Ｅボタンから１５Ｉボタンまで、図１−ｃの１６ボタンから２２Ｎボタンを使用し靴などの生地に固定する。
【発明の効果】
【０００５】  （１）孔のある１Ａボタンと３Ｃボタンとを使用したとき。
図１−ａのとおり靴などの生地に穴を開け、１Ａボタンと３Ｃボタンとで靴などの生地を挟みネジを回し、１Ａボタン３Ｃボタンと生地を固定する。このことにより図１−Ｄに示したように靴の内部に空気の流れが生じるようにした。
特に車、電車、室内などの限られた空間ではエアコンの冷気や暖房の暖気が直接靴等の中に入り、直ぐに冷たさや暖かさを感じることができる。
さらに、外を歩いたり風が吹いたりすればリング孔を通して靴の中に空気の流れが生じ、靴の中を快適に保つことができる。
（２）小さな突起と磁気を帯びた２Ｂボタンと穴が塞がった４Ｄボタンを使用したとき。
図１−ａのとおり２Ｂボタンと穴が塞がった４Ｄボタンで靴などの生地を挟み固定することにより、小さな突起や磁気を帯びたが人の皮膚等を刺激し一定のマッサージ効果が得られ、また、穴が塞がった４Ｄボタンを使用することにより内外の空気を遮断することにより保温し、外からの雨などの水の浸入を防ぐことができる。
以下、図１−ｂの１１Ｅボタンから１５Ｉボタンまで、図１−ｃの１６ボタンから２２Ｎボタンを使用した時も同様である。
（３）図１−ｄの通りボタンの表面は必ずしも円形である必要は無く、星形や三角形等のかたちのものを設けたり、靴などの生地と同系色にしたり他の色を組み合わせたりしてワンポイントのデザインを付与することができる。ボタンの組み合わせはその時の状況に応じてリングのネジを回して簡単に交換できる。
【図面の簡単な説明】
【０００６】
【図１】  ａ  本件発明である凸型の突起部内側に孔が開き外側にネジ山を入れた１Ａボタンと凹型の底部に穴が開き内側にネジ山があり１Ａボタンの突起部と適応する口径を有する３Ｃボタンと、３Ｃボタンの底部の孔が塞がった４Ｄボタンの構造とその使用例。ｂ  打ち具で生地を挟んだ１３Ｇボタンに、本件発明の、そのボタン突起部に適合する口径をもち凹型の底部に穴が開いた１４Ｈボタンと、１４Ｈボタンの孔が塞がった１５Ｉボタンの構造とその使用例。ｃ  打ち具で生地を挟んだＬボタン（鳩目ボタン）に、本件発明の、そのボタン突起部に適合する口径をもち凹型の底部に穴が開いた２１Ｍボタンと、２１Ｍボタンの孔が塞がった２２Ｎボタンの構造とその使用例。ｄ  本件発明である１Ａボタンから２２Ｎボタンを靴に使用した時の断面図と靴を外から見た時の状況を示したもの。
【符号の説明】
【０００７】  １  Ａボタン
２  Ｂボタン
３  Ｃボタン
４  Ｄボタン
５  ネジ山
６  孔部分
７  磁気
８  突起
９  孔部分
１０  ネジ山
１１  Ｅボタン
１２  Ｆボタン
１３  Ｇボタン
１４  Ｈボタン
１５  Ｉボタン
１６  Ｊボタン
１７  Ｋボタン
１８  磁気
１９  突起
２０  孔部分
２１  Ｍボタン
２２  Ｎボタン
【図１】
2014073342.tif 000003
(57)【要約】【課題】腕力の弱い人や、腕力の衰えてきた人にとって、重量のある荷物を繰り返し運搬する事は非常に困難なことである。  本発明は腕の負担を軽減することで重量のある荷物を繰り返し運搬することが出来る荷物運搬補助具を提供する。【解決手段】  補助具本体の下部に爪を設け、補助具上部に長さ調整の出来る肩掛け帯を設けた事を特徴とする荷物運搬補助具。【選択図】図１
2014073347.tif 000002
【特許請求の範囲】
【請求項１】
補助具本体の下部に爪を設け、補助具本体の上部へ長さ調整の出来る肩掛け帯を設けた荷物運搬補助具。
【発明の詳細な説明】
【０００１】  本発明は重量のある荷物を運搬する際の荷物運搬補助具に関するものである。
【背景技術】
【０００２】  従来、重量のある荷物を運搬する時は手で持ち上げ、腕の力を主として運搬していた。
【発明の概要】
【発明が解決しようとする課題】
【０００３】  腕力の弱い人や加齢により腕力が衰えてきた人にとって、重量のある荷物を繰り返し運搬する事は非常に困難な事である。
本発明は、以上の問題点を解決する為になされたものである。
【課題を解決するための手段】
【０００４】  補助具本体の下部に爪を設け、補助具本体の上部に長さを調整出来る肩掛け帯を設ける。
以上の構成よりなる荷物運搬補助具。
【発明の効果】
【０００５】  肩掛け帯を肩に掛ける事で、荷物の重量を身体全体で支える事ができる。これにより腕の負担が軽減し、腕力の弱い人でも繰り返し荷物を運搬する事が出来るようになる。
【図面の簡単な説明】
【０００６】
【図１】  本発明の斜視図
【発明を実施するための形態】
【０００７】  以下、本発明の実施の形態を説明する。
（イ）補助具本体（１）の下部に補助具本体から垂直に突き出す形で爪（２）を設ける。
（ロ）補助具本体（１）の上部に肩掛け帯（３）を設ける。
（ハ）肩掛け帯（３）に長さを調整出来る金具（４）を設ける。
本発明は以上のような構造である。
本発明を使用する時は、肩掛け帯（３）を肩に掛け、補助具本体（１）の下部が腰骨の高さ程度になるように長さ調整金具（４）で調整する。荷物を爪（２）へ乗せ、補助具本体（１）へ寄せながら手で押さえるように持って運搬する。
荷物の重量を肩掛け帯（３）の効果で身体全体で支える事が出来る為、腕の負担が軽減され、繰り返しの運搬が可能になる。
【符号の説明】
【０００８】  １  補助具本体、  ２  爪、  ３  肩掛け帯、  ４  長さ調整金具
【図１】
2014073347.tif 000003
(57)【要約】【課題】  履物を脱いだあとは、必ずはく状態に履物を手でもつていかなければなりませんが、このことを解決するためになされたものです。【解決手段】  履物を脱いだりはいたりする台を設けて、その台が回転するようにしたり、停止したりができるようにしたものです。回転付履物台の動力はスプリング及びゴムなどの弾力を利用して回す。スプリング及びゴムの一方を固定して他端を紐で結び、回転台の軸に数回巻きつけて、紐をひっぱり弾力がついたところで紐を固定する。固定した紐をひっぱると回転台の軸が回りはなすと逆回転する。この動きを利用した履物を脱いだりはいたりする回転付履物台です。【選択図】図１
2014073345.tif 000002
【特許請求の範囲】
【請求項１】
履物を脱いだりはいたりする台を設けて、その台が回転するようにしたり、停止したりができるようにしたものです。履物を脱いだりはいたりする回転付履物台です。
【請求項２】
回転付履物台の動力はスプリング及びゴムなどの弾力を利用して回す。スプリング及びゴムの一方を固定して他端を紐で結び、回転台の軸に数回巻きつけて、紐をひっぱり弾力がついたところで紐を固定する。固定した紐をひっぱると回転台の軸が回りはなすと逆回転する。この動きを利用した履物を脱いだりはいたりする回転付履物台です。
【発明の詳細な説明】
【技術分野】
【０００１】  この発明は履物を脱いだ時、次にはく時には手で方向をそろえなければなりませんでしたが、それをなくすために考えた回転する履物台です。
【背景技術】
【０００２】  従来は履物を脱いだ後にはかならず人の手で並べかえをしておりましたが、その動作をしないで出来るようにしたものです。
【先行技術文献】
【特許文献】
【０００３】
【特許文献１】
【非特許文献１】
【発明の概要】
【発明が解決しようとする課題】
【０００４】  履物を脱いだ後は、必ずはく状態に履物を手でそろえなければなりませんでしたが、このことを解決するためになされたものです。
【課題を解決するための手段】
【０００５】  履物を脱いだりはいたりする台を設けて、その台が回転するようにしたり、停止したりができるようにしたものです。回転付履物台の動力はスプリング及びゴムなどの弾力を利用して回す。スプリング及びゴムなど一方を固定して他端を紐で結び、回転台の軸に数回巻きつけて、紐をひっぱり弾力がついたところで紐を固定する。固定した紐をひっぱると回転台の軸が回り、はなすと逆回転します。この動きを利用して、履物を脱いだりはいたりする回転付履物台である。
【発明の効果】
【０００６】  履物を脱いだ後、もとのはく状態にもどるようにしたものです。動力はゴム、スプリングなどの弾力を使用するだけでそれ以外の動力がいらず効率的である。
【図面の簡単な説明】
【０００７】
【図１】  本発明の断面図である。
【図２】  本発明の操作棒のまわりを見た上面図である。
【図３】  本発明の操作棒のみの斜視図である。
【発明を実施するための形態】
【０００８】  以下、本発明の実施の形態について説明する。
図面１は履物台の断面図です。回転台（３）に回転軸（４）をつけて回転が安定して回るように回転軸枠（５）をつけたものです。回転台と下側の本体に接触するところは円形に金属の玉ボール（１９）を丸く埋め込めば回転がかるくなります。左側側面（１）にスプリング（６）を固定して他端を紐（７）でつなぎ回転軸（４）に数回巻きつけて、右側側面（２）のローラー（８）を通し、操作棒（１０）の下側ガイドピン（９）を通してさらにローラー（８）を通して右側側面に固定する。ローラー（８）の２ケ所はローラー固定用金具（１７）でローラー（８）をささえています。
紐を固定したあと、操作棒（１０）を下側に押し込めば回転軸が回り戻せばスプリング（６）側に戻るように弾力を調整して改めて右側側面に固定する。
固定したあとは操作棒（１０）を下側に押し込めば紐が圧力を受け回転軸（４）が回りスプリング（６）弾力がつよくなる。はなせばスプリング（６）弾力がもとにもどる。回転軸（４）の紐を数回巻いたところの中ほどに固定用紐ネジ（１８）にて紐を固定して回転軸がすべらないようにする。
以上にて、紐に圧力をかければ回転し離せば逆回転してもとの位置に戻る、これを利用して回転台を回すようにしたものです。
図２のように真上から見た図面ですが、ストップ板（１６）はネジ（１４）を軽く動くように固定しておいて、操作棒（１０）をおさえたときに、動きがなめらかになるように上側の先端を丸くしておきます。そのようにすればストップ板スプリング（１２）が動作して蓋をするようになり止まります。ストップ板ハンドル（１３）を図２の位置にもつていけば、上にむかつて飛び出してきます。図３の操作棒のなかに溝（１５）を切り込んでおけば図１のガイドピン（１１）を固定していますので、紐の弾力にて、操作棒は溝の中を移動し上下します。回転軸（４）が回転、逆回転をくりかえします。回転台と回転軸はネジか接着剤で止めていますので同じ回転をします。操作棒（１０）を深くおしこんだり、浅くおしこむことにより、回転角度が変わりますので操作棒にて長さをきめて調整すること。
説明のなかで紐と記しているものは細いロープ、ワイヤーなどを含みます。左側側面スプリング固定、右側側面紐の固定と記していますが回転軸が丸型のため固定位置はどこにでも取り付けができます。回転台の高さは左側側面（１）、右側側面（２）の上面と同じ高さにすればひっかかりがなくなります。玄関が広いところは何台でもおけます。
以上のように履物をのせて回転するようにした履物台です。
本発明は以上のような構造である。
【符号の説明】
【０００９】      １  左側側面
２  右側側面
３  回転台
４  回転軸
５  回転軸枠
６  スプリング
７  紐
８  ローラー
９  リング
１０  操作棒
１１  ガイドピン
１２  スプリング
１３  ハンドル
１４  ネジ
１５  溝
１６  ストップ板
１７  ローラー固定用金具
１８  紐固定ネジ
１９  金属の玉ボール
【図１】
2014073345.tif 000003
【図２】
2014073345.tif 000004
【図３】
2014073345.tif 000005
(57)【要約】【課題】本発明は、シャッター式（巻きつけ収納タイプ）の風呂のふたを、巻きつけ、固定し、持ち運ぶ為の巻きつけ固定具を提供する。【解決手段】クリップ（１）の上部に固定可能可動軸（２）を設け、固定可能可動軸（２）にレバー（３）を設け、レバー（３）の途中から押さえ（４）を設けたことを特徴とする。【選択図】図１
2014073344.tif 000002
【特許請求の範囲】
【請求項１】
本発明は、クリップ（１）の上部に固定可能可動軸（２）を設け、固定可能可動軸（２）にレバー（３）を設け、レバー（３）の途中から押さえ（４）を設けたことを特徴とする風呂のふた巻きつけ固定具。
【発明の詳細な説明】
【技術分野】
【０００１】  本発明は、シャッター式（巻きつけ収納タイプ）の風呂のふたを、巻きつけ、固定し、持ち運ぶ為の巻きつけ固定具に関するものである。
【背景技術】
【０００２】  従来、シャッター式風呂のふたは、ほとんどは、ただ巻きつけ、立てておくのである。
【発明の開示】
【発明が解決しようとする課題】
【０００３】これは次のような欠点があった。
（イ）しっかり巻いても、立てておくと、だらしなく広がる。又、軽く巻いたり浴室の隅に寄せるだけではバランスを崩し倒れることも多々ある。
（ロ）バケツの中に、ただ巻いて立てて置くと倒れる。そのため、漬け置き洗いは、湯船を使うのである。
（ハ）水垢やカビが付きやすいので触れる作業が苦痛だった。
本発明は、以上のような欠点をなくすためになされたものである。
【課題を解決するための手段】
【０００４】  本発明は、クリップ（１）の上部に固定可能可動軸（２）を設け、固定可能可動軸（２）にレバー（３）を設け、レバー（３）の途中から押さえ（４）を設ける。
本発明は、以上の構成よりなる風呂のふた巻つけ固定具である。
【発明の効果】
【０００５】（イ）本発明品を使い、風呂のふたを巻きつけ固定することで、広がりや倒れることを防ぐことができる。又、簡単にしっかり巻くことができる。
（ロ）本発明品を使い、風呂のふたを巻きつけ固定することで、バケツを使った漬け置き洗いもできるので、手軽で便利である。
（ハ）水垢やカビとの接触が減る。
【図面の簡単な説明】
【０００６】
【図１】本発明のレバーを上げた状態の側面図である。
【図２】本発明のレバーを下げた状態の側面図である。
【図３】本発明のクリップを、風呂のふたに差し込んだ状態を示した斜視図である。
【図４】本発明のレバーを回し、風呂のふたを巻きつけている状態を示した斜視図である。
【図５】本発明の輪を使い、レバーを回し、風呂のふたを巻きつけている状態を示した斜視図である。
【図６】本発明のレバーを下ろし、風呂のふたを固定した状態を示した斜視図である。
【図７】本発明のレバーを持ち、風呂のふたを持ち上げた状態を示した斜視図である。
【発明を実施するための最良の形態】
【０００７】  以下、本発明を実施するための最良の形態について説明する。
クリップ（１）の上部に、固定可能可動軸（２）を設ける。
固定可能可動軸（２）に、レバー（３）を設ける。
レバー（３）の途中から、押さえ（４）を設ける。
本発明は、以上のような構造である。
本発明を使用するときは、レバー（３）を上げた状態で、クリップ（１）を風呂のふたに差込み、レバー（３）を回すことで、クリップ（１）を中心に風呂のふたを巻きつける。巻き終わりは、レバー（３）を下ろし、押さえ（４）をするといい。
なお、風呂のふたと接触する押さえ（４）部分に、滑り止め（６）を設けてもいい。
また、風呂のふたを巻きつける際に、持つとより巻きやすくなる輪（５）をレバー（３）などに設けてもいい。
【符号の説明】
【０００８】  １  クリップ
２  固定可能可動軸
３  レバー
４  押さえ
５  輪
６  滑り止め
【図１】
2014073344.tif 000003
【図２】
2014073344.tif 000004
【図３】
2014073344.tif 000005
【図４】
2014073344.tif 000006
【図５】
2014073344.tif 000007
【図６】
2014073344.tif 000008
【図７】
2014073344.tif 000009
(57)【要約】      （修正有）【課題】刈草作業時に於て、チップソー及びコードカッターの回転に伴いはじき飛ばされる障害物が左右後及び上方向に飛散することなく、またキックバックによる危険を防止して安全に作業が出来る刈払機を提供する。【解決手段】チップソーの外径及びコードカッター１の先端部より１〜３ｃｍ程度の大きさの直径を有する平面部及びその平面部の外周より適度の角度で内側に折り曲げた盆状円形の飛散防止部３及びキックバック事故防止部１２から成るカバー２を設ける。【選択図】図１
2014073121.tif 000002
【特許請求の範囲】
【請求項１】
本発明のカバーはチップソーの外径及びコードカッターの先端部より１センチメートル乃至３センチメートル程度の大きさの平面を有しその平面部の外周より適度の角度で内側に折れ曲がった盆状円形の飛散防止部及びキックバック事故防止部とを形整したことを特徴とする
【発明の詳細な説明】
【技術分野】
【０００１】本発明は刈払機のカバーに関するものである。
【背景技術】
【０００２】刈払機はチップソー及びコードカッターと呼ばれるものを回転させて草を刈るものが一般的に知られる。【０００３】これらのものは回転に伴い小石、砂などの障害物を左右後上方向に飛散させる、また石や木クイなどの障害物に当ると時として反対方向に大きく振られるキックバックと云われる現象を有する危険な農具である。【０００４】これらの安全対策として種々のカバー提案され実際使用されては居るが、これらのものは上方に飛散する障害物より作業者を守るだけのもので有り左右後方向に飛散する障害物を防止することは出来ないものである。またキックバックに依る危険を防止することは出来ないカバー類である。
【先行技術分献】
【特許分献】
【０００５】
【特許分献１】
【発明の概要】
【発明が解決しようとする課題】
【０００６】本発明は種々提案されて居る安全カバーの問題点に監みてなされたもので有り本発明の目的は刈草作業時に於てチップソー及びコードカッターの回転に伴いはじき飛ばされた障害物が左右後及び上方向に飛散することなく、またキックバックによる危険を防止して安全に作業が出来る刈払機を提供することにある。
【課題を解決するための手段】
【０００７】本発明のカバーはチップソーの外径及びコードカッターの先端部より１センチメートル乃至３センチメートル程度の大きさの平面を有しその平面部の外周より適度の角度で内側に折れ曲がった盆状円形の飛散防止部及びキックバック事故防止部とを形整したことを特徴とする。
【発明の効果】
【０００８】本発明のカバーはチップソーの外径及びコードカッターの先端部より１センチメートル乃至３センチメートル程度の大きさの平面を有しその平面部の外周より適度の角度で内側に折れ曲がった盆状円形の飛散防止部及びキックバック事故防止部とを形整したことを特徴とするものであるからチップソー及びコードカッターの回転に伴いはじき飛ばされた障害物が盆状円形のカバーの飛散防止部の内側に当って落とされるために安全で有る  またキックバックが発生するもチップソーの外径及びコードカッターの先端部よりも外側に飛散防止部が形整されて居るので本発明のカバーの符号１２部が体に当るので安全で有ると云う効果がある。
【図面の簡単な説明】
【０００９】
【図１】図１は本発明のカバーを設置したコードカッター使用の刈払機の先端部の断面図である
【図２】図２は本発明のカバーを設置したコードカッター使用の刈払機の先端部の平面図である
【図３】図３は本発明のカバーを設置したチップソー使用の刈払機の先端部の断面図である
【図４】図４は本発明のカバーを設置したチップソー使用の刈払機の先端部の平面図である
【発明を実施するための形態】
０００９
【実施例１】本発明の盆状円形のカバーの平面部上面に取り付け部品５を介して刈払機本体６のメインパイプ部４に取り付ける。【００１０】本カバーの前部は取り付け時においてチップソー外径及びコードカッターの先端部より５センチメートル乃至８センチメートル程内側に概符号１１の様な形状にカットする、このカットした範囲で草を刈る。【００１１】カバーの先端下部１０の部位はチップソー及びコードカッターの水平面より１０ミリメートル乃至２０ミリメートル程度下がる寸法が望ましい。
【符号の設明】
【００１１】１  チップソー及びコードカッター
２  カバー
３  飛散防止部
４  メインパイプ
５  カバー取付け部品
６  刈払機本体
７  取り付け座金
８  ネジ
９  コードカッター取付け部
１０  カバー先端下部
１１  カバーカット部
１２  キックバック事故防止部
【図１】
2014073121.tif 000003
【図３】
2014073121.tif 000004
【手続補正書】
【提出日】平成25年1月8日(2013.1.8)
【手続補正１】
【補正対象書類名】図面
【補正対象項目名】全図
【補正方法】変更
【補正の内容】
【図１】
2014073121.tif 000005
【図２】
2014073121.tif 000006
【図３】
2014073121.tif 000007
【図４】
2014073121.tif 000008
(57)【要約】【課題】  座った者が容易に立ち上がるための補助に用いられる立ち上がり補助座椅子を提供することを課題とする。【解決手段】 本立ち上がり補助座椅子は底板１、座板２、座板２を昇降可能にするリンク３、リンクに設けらる中心軸１４、中心軸１４、に圧力を付勢する圧力幹９、を備える、肘掛け６、レバー７、圧力カラ―１１、圧力軸８、圧力軸８、を支えるメタル１０、を設ける、立ち上がり時、肘掛け６、に圧力を付勢する事によって、圧力幹９、に圧力を付勢し、その圧力を中心軸１４、に付勢し、座板２、を上昇を付勢するようにして立ち上がり補助をおこなう事ができる。【選択図】  図１
2014073172.tif 000002
【特許請求の範囲】
【請求項１】
底板１、座板２、該座板２を昇降可能にするリンク３、該リンクはX状に配置され、該リンク中心部に中心軸４、を設ける、肘掛け６、に圧力を付勢するとレバー７を通じて、圧力軸８、に付勢され、圧力幹９が回転し、中心軸を押し上げ、リンクによって座板が上昇し立ち上がる補助をする事を特徴とした立ち上がり補助座椅子。
【請求項２】
上記リンク３は片端はメタルで受けられ、片端はコロを設置し底板、座板に摺動する事を特徴とした請求項１記載の立ち上がり補助座椅子。
【請求項３】
上記リンクは底板、の両端に各１ヶ所、座板の両端に各１ヶ所、計４本設けられ座板昇降を安定させている事を特徴とした請求項１又は請求項２記載の立ち上がり補助座椅子。
【発明の詳細な説明】
【技術分野】
【０００１】
本発明は座ったり立ったりするときの補助をする立ち上がり補助座椅子に関する        ものである、本立ち上がり補助座椅子は、本座椅子に座った者が容易に立ち上がる為の補助に用いられる。
、  
【背景技術】
【０００２】
立ち上がりの動作が困難になってきた人向けに、立ち上がり動作の補助を行う椅子が提案されている（例えば、特許文献１，２を参照、）更に電動モータ等を用いることによって、使用時は、座面の高さを通常の座椅子の高さにし、立ち上がり時は高い位置にする電動式の座椅子が提案されている。
【０００３】
【特許文献１】特開平08-11234号公報（第３頁、第３図）
【特許文献２】特開昭60-40049号公報（第７図）
【発明の概要】
【発明が解決しようとする課題】
【０００４】
座椅子を使用する場所は一ヶ所に固定されている事は少なく、始終移動し持ち運び使用する場合が多い、それには軽量で持ち運びが容易でなければならない、しかし、従来の座椅子は持ち運びを考慮してないため、重くて運搬しにくく移動が困難であった、本発明はこのような問題点を解決するものであり、立ち上がり補助座椅子を提供する事を目的とする。  
【課題を解決するための手段】
【０００５】
本発明は、以下の通りである。
底板１、座板2、を昇降可能にするリンク3,,該リンクを付勢する圧力幹９、圧力幹を付勢する圧力軸８、圧力軸を支えるメタル１０、圧力軸に円運動を付勢させる、肘掛け６、それを伝えるレバー７、と圧力カラー１１、からなる事を特徴とした、立ち上がり補助座椅子
【発明の効果】
【０００６】
本発明の立ち上がり補助座椅子によれば、立ち上がる時肘掛けに手を掛け立ちがり時の力を付勢すれば、その圧力はレバーを通って圧力軸に伝わり圧力幹に付勢し、リンク中央軸に付勢して、中央軸を斜め上に上昇させる事によって座板を上昇させ、立ち上がり時の補助ができる効果がある。
【０００７】
本発明の装置は周囲はべニア板で囲われている、座板はその囲い箱の蓋になってており幅３００ミリ奥行３００ミリ高さ１５０ミリの座椅子になっている、肘掛けに手を掛け立ち上がろうとすると装置が働き座板が上昇し１８５ミリになり立ち上がり補助をする、立ち上がり補助座椅子。
【０００８】
上記の立ち上がり補助座椅子によれば、構成は至って簡単であるため低コストで供給できる。
【発明を実施するための最良の形態】
【０００９】
以下、図１〜図４を用いて本発明である、楽に立ち上がれる座椅子を詳細に説明する。底板１、座板2は、それぞれ本立ち上がり補助椅子の底部及び上部を構成する板状体である。リンク3,は座板2,を昇降させるためのリンク機構であり、リンクをX字状にリンクを交わらせた構成で使用するものである、底板の端にメタル２を設けそれに軸３を通しそこにリンクの一端を通す、リンクは４本使用するリンク３、の４本のリンクをそれぞれA,B,C,D,とする、リンク３Aは片端は底板のメタル４に通る軸５にうけられている、リンク３Bは座板に設けられるメタル４Bに通る軸５Bに受けられている、リンク３Aの底板に受けられている、片端はコロ１３Aを設けられ座板に摺動している、座板のメタル軸５Bに受けられているリンク３Bの片端はコロ１３Bを設けられ、底板に摺動している、リンクが交わる中心部に中心軸１４、を通す
【００１０】
リンク３C、３D,は底板の片端にリンク３A,３B,と対象的に設置され座板の安定を図る、
【００１１】
座椅子に座った時の肘掛けの位置に肘掛け掛け６を設ける、肘掛け６、は肘掛けメタル１２、によって、レバー７と接続される、レバー７、は圧力カラ―１１に繋がる、圧力カラ―１１は圧力軸８にセットされ圧力幹９に繋がる、圧力軸８、はメタル１０によって支えられている、
【００１２】
この装置は座板の安定昇降のため左右対称に設置される、(正面図参照)
【００１３】
本発明の楽に立ち上れる座椅子の構成を説明します、
立ち上がり時に、肘掛けに手を掛け体を支えると、圧力が肘掛けに付勢される、その付勢された圧力はレバーを通って圧力カラ―に付勢される、圧力カラーに付された圧力は圧力軸に付勢され、圧力軸を回転させる、回転力は圧力幹に付勢され、接触しているリンク中心軸を斜め上に持ち上げる、中心軸が持ち上がるとリンクを通って座板を上昇させる、１８０ミリ上昇させることによって立ち上がり補助が出来る。
【図面の簡単な説明】
【００１４】
【図１】本立ち上がり補助座椅子の構成を説明するための摸式側面図である、
【図２】本立ち上がり補助座椅子の構成を説明するための摸式正面図である、
【図３】本立ち上がり補助座椅子が伸張した状態を説明するための摸式側面図である、
【図４】本立ち上がり補助座椅子が装置が収納し座椅子になった状態を示す正面図である、
【符号の説明】
【００１５】
１：底板、２：座板、３：リンク、４：リンクメタル、５：リンク軸
６：肘掛け、７：レバー、８：圧力軸、９：圧力幹、１０：圧力メタル
１１：圧力カラ―、１２：肘掛けメタル、１３：コロ、１４：中心軸
【図１】
2014073172.tif 000003
【図２】
2014073172.tif 000004
【図３】
2014073172.tif 000005
【図４】
2014073172.tif 000006
(57)【要約】      （修正有）【課題】片手による内容物受取操作が可能となり、タオルやスポンジへの受け取りも、片手でも両手でも簡単に行うことができ、市販のポンプ付容器に簡単に取り付けられるポンプ付容器片手使用補助器具を提供する。【解決手段】上下の操作部１，２を左右の接続部３，４で接続、固定し、上下の操作部間に内容物搬送路５と手のひらが入る空間を設け、上部操作部下側に内容物吐出口６を、下部操作部上側に手の甲、タオル、スポンジ等を置ける面と下側に市販のポンプ付容器のノズル固定部８，１０及びノズル結合部７を設ける。【選択図】図１
2014073870.tif 000002
【特許請求の範囲】
【請求項１】
上下の操作部を左右の接続部で接続、固定し、上下の操作部間に内容物搬送路と手のひらが入る空間を設け、上部操作部下側に内容物吐出口を、下部操作部上側に手の甲、タオル、スポンジ等を置ける面と下側に市販のポンプ付容器のノズル固定部及びノズル結合部を設けたポンプ付容器片手使用補助器具。
【発明の詳細な説明】
【技術分野】
【０００１】  本発明は、市販のシャンプーやボディーソープ等のポンプ付容器の内容物を片手で取出すためのポンプ付容器片手使用補助器具に関するものである。
【背景技術】
【０００２】  従来、ポンプ付容器の内容物を取り出す場合は、何れか一方の手でポンプを押下し、他方の手又は手に持ったタオル、スポンジ等でノズルから出てきた内容物を受け取る必要があった。
【先行技術文献】
【特許文献】
【０００３】
【発明の概要】
【発明が解決しようとする課題】
【０００４】  市販のポンプ付容器は、片手でポンプを押下する操作とノズルから吐出される内容物を手のひらやタオル・スポンジ等に受け取る動作を同時に行うことは、その構造上不可能である。また、片手での操作を可能とすることを目的とした従来の容器や器具では、両手による通常の操作では使用しにくいもの、手のひら以外には受け取れないものや内容物を専用容器へ詰め替える必要があるものしかない。本発明は以上の問題点を解決するものである。
【課題を解決するための手段】
【０００５】  上下の操作部を左右の接続部で接続し、上下の操作部間に内容物搬送路を設ける。上下操作部に手のひらが入る空間を設け、下部操作部に手の甲、タオル、スポンジ等を置ける面を設ける。下部操作部に、市販のポンプ付容器のノズル固定部及びノズル結合部を設ける。
以上の構成よりなるポンプ付容器片手使用補助器具。
【発明の効果】
【０００６】  市販のポンプ付容器では不可能だった片手による内容物受取操作が可能となり、従来品では片手で容易にできなかったタオルやスポンジへの受け取りも、片手でも両手でも簡単に行うことができる。また、市販のポンプ付容器に簡単に取り付けられ、内容物の詰め替えが不要である。
【図面の簡単な説明】
【０００７】
【図１】本発明の斜視図
【図２】本発明の使用状態を示す斜視図
【発明を実施するための形態】
【０００８】  以下、本発明の実施の形態を説明する。
（イ）上部操作部（１）と下部操作部（２）の何れを押下しても同時に動作するよう上下      操作部を固定する右接続部（３）、左接続部（４）を設け、内容物搬送路（５）を      左側接続部（４）に設ける。
（ロ）上部操作部（１）は上面に操作面、下面に内容物搬送路（５）に接続した内容物吐      出口（６）を設ける。
（ハ）下部操作部（２）は上面に手の甲、タオル、ボディースポンジが置ける大きさの操      作面、下面に市販のポンプ付容器のノズル部分を固定するノズル固定板（８）、ノ      ズル固定軸（９）、ノズル固定板固定具（１０）を設け、内容物搬送路（５）とノ      ズル部分のノズル結合部（７）を設ける。
本発明は以上のような構造である。
本発明を使用するときは、下部操作部（２）内のノズル固定板固定具（１０）をノズル固定軸（９）から取り外し、ノズル固定板（８）を取り除く。そこに市販のポンプ付容器のノズル部分を挿入し、ノズルの先端とノズル結合部（７）を接続する。ノズル固定板（８）をノズル固定軸（９）に取り付け、ノズル固定板固定具（１０）でノズル部分を下部操作部に固定し準備する。
片手で使用し手のひらで受ける場合は、下部操作部（２）の上面に手の甲を置き、手の甲で下部操作部（２）を押下する。タオルやボディースポンジに受ける場合は、下部操作部（２）の上面にタオルやボディースポンジを置き、上部操作部（１）を押下する。
両手で通常の操作を行う場合は、上部操作部（１）の下面の内容物吐出口（６）の下に手のひらを挿入し、上部操作部（１）を押下する。
【符号の説明】
【０００９】  １上部操作部、２下部操作部、３右接続部、４左接続部、５内容物搬送路、６内容物吐出口、７ノズル結合部、８ノズル固定板、９ノズル固定軸、１０ノズル固定板固定具
【図１】
2014073870.tif 000003
【図２】
2014073870.tif 000004
(57)【要約】【課題】  従来、一度使用したペットボトルを再利用する場合には、オリジナルのラベルシュリンクを剥がしてペットボトル本体とフタを洗浄、乾燥させて使用していたが、基本的にシュリンクを剥がしたペットボトル自体が無色透明であるため、そのままお茶等を入れると見た目も大変野暮ったくなり、それを防ぐために、水筒用の袋にわざわざ入れたり、タオル等をペットボトルに巻き付けて外観に配慮して使用する課題があった。【解決手段】  予めデザインされたチューブ状の熱収縮性樹脂フィルム（１）を再利用ペットボトル（２）本体の外周面全体又は一部に被せて加熱（３）し、再利用ペットボトル（２）に熱収縮密着させれば、簡単に自分だけのオリジナルの再利用ペットボトルの外観を装飾することが出来る優れた方法となる。【選択図】図１
2014073871.tif 000002
【特許請求の範囲】
【請求項１】
予めデザインされたチューブ状の熱収縮性樹脂フィルム（１）を再利用ペットボトル（２）本体の外周面全体又は一部に被せて加熱（３）し、再利用ペットボトル（２）に熱収縮密着させた再利用ペットボトル（２）の外観装飾方法。
【請求項２】
再利用ペットボトル（２）のフタ（４）が予めデザインされた耐水性シール（５）を貼りつけていることを特徴とする請求項１に記載の再利用ペットボトル（２）の外観装飾方法。
【請求項３】
再利用ペットボトル（２）のフタ（４）が予めデザインされたチューブ状の熱収縮性樹脂フィルム（６）をフタ（４）本体の外周面全体又は一部に被せて加熱（３）し、フタ（４）に熱収縮密着させたことを特徴とする請求項１に記載の再利用ペットボトル（２）の外観装飾方法。
【発明の詳細な説明】
【技術分野】
【０００１】  この発明は、使用したペットボトルを再利用するにあたり、その外観を装飾する方法に関する。
【背景技術】
【０００２】  従来、一度使用したペットボトルは、資源ごみとして、本体、フタ、外装用ラベルシュリンクと、その素材ごとに分別されていた。
【発明の概要】
【発明が解決しようとする課題】
【０００３】  しかしながら、メーカーの銘柄等が印刷されたオリジナルのラベルシュリンクを剥がしてペットボトルを再利用するには、基本的にペットボトル自体が無色透明であるため、そのままお茶等を入れると見た目も大変野暮ったくなり、それを防ぐために、水筒用の袋に入れたり、タオル等をペットボトルに巻き付けて外観に配慮して使用する課題が有った。
【課題を解決するための手段】
【０００４】  上記課題を解決するためには本発明は予めデザインされたチューブ状の熱収縮性樹脂フィルム（１）を再利用ペットボトル（２）本体の外周面全体又は一部に被せて加熱（３）し、再利用ペットボトル（２）に熱収縮密着させた再利用ペットボトル（２）の外観装飾方法である。
【発明の効果】
【０００５】  本発明の再利用ペットボトルの外観装飾方法は、予めデザインされたチューブ状の熱収縮性樹脂フィルム、いわゆるシュリンクと言われるものを、例えば各家庭で購入し、再利用のペットボトルのオリジナルのラベルシュリンクを剥がして洗浄、乾燥させた後に再利用ペットボトル本体の外周面全体又は一部に被せて、ドライヤー等で加熱するだけで簡単に熱収縮密着するため、簡単に自分だけのオリジナルの再利用ペットボトルの外観を装飾することが出来る優れた方法である。【０００６】  更に再利用ペットボトルのフタ自体も複数個有る場合等は特に元々のペットボトルがどれかわからなくなる場合が有ったが、フタにも予めデザインされた耐水性シールを貼りつけておいたり、又はペットボトル本体と同様に予めデザインされたチューブ状の熱収縮性樹脂フィルムをフタ本体の外周面全体又は一部に被せて加熱し、フタに熱収縮密着しておけば、再利用ペットボトル本体とのデザインの統一性等と相まって外観的にもとても見栄えの良い装飾方法となる。
【図面の簡単な説明】
【０００７】
【図１】本発明の一実施例を示す全体構成図である。
【図２】本発明のフタ部分の一実施例を示す全体構成図である。
【図３】本発明のフタ部分の別の実施形態を示す全体構成図である。
【発明を実施するための形態】
【０００８】  本発明における再利用ペットボトルの外観装飾方法におけるペットボトルは、現在市販されている清涼飲料用のペットボトル等であれば、大きさ、デザイン、材質等は特に限定されない。
【０００９】  本発明で言うチューブ状熱収縮性樹脂フィルムも加熱によりペットボトルの外周面に密着するものであれば、その大きさ、デザイン、材質等も特に限定されないが、デザインのしやすさとして印刷やマジック等での手書き等の用途に応じて、例えばポリ塩化ビニル、ポリプロピレン、ポリエチレン、ポリスチレン、ポリオレフィン又はポリエチレンテレフタレート等が適宜用いられる。
【００１０】  本発明の再利用ペットボトルのフタ自体も複数個有る場合等は特に元々のペットボトルがどれかわからなくなる場合が有るため、再利用ペットボトル本体の外周面に実施される外観のものとデザイン性を統一すれば、見栄えとして好ましい。これは例えば、キャラクターを統一したり、色などに相関性を持たせることによって実施出来る。
【００１１】  なお、このフタにも予めデザインされた耐水性シールを貼りつけておいたり、又はペットボトル本体と同様に予めデザインされたチューブ状の熱収縮性樹脂フィルムをフタ本体の外周面全体又は一部に被せて加熱し、フタに熱収縮密着して形成する事が出来る。
以下、実施例と図に基づき説明する。
【００１２】  図１は、本発明のフタ（４）の有る再利用ペットボトル（２）本体の外観装飾方法の一実施例を示す全体構成図である。まずはオリジナルのメーカーの銘柄の印刷されたラベルシュリンクを剥がし、洗浄、乾燥後、予めデザインされたチューブ状の熱収縮性樹脂フィルム（１）を再利用ペットボトル（２）本体の外周面の一部に被せ、所望の位置でドライヤーの加熱（３）手段により、まんべんなくチューブ状の熱収縮性樹脂フィルム（１）を熱収縮密着させて再利用ペットボトル（２）の外観を装飾する様子を示している。
【００１３】  図２は本発明の再利用ペットボトル（２）のフタ（４）の外観装飾方法の一実施例を示す全体構成図である。こちらはフタ（４）の上面に予めデザインされた耐水性シール（５）を貼りつけることで、再利用ペットボトル（２）のフタ（４）の外観を装飾する様子を示している。もちろん図１で示した再利用ペットボトル（２）本体の外観装飾と関連性の有るデザインとしても良い。
【００１４】  図３は本発明の再利用ペットボトル（２）のフタ（４）の別の外観装飾方法の一実施例を示す全体構成図である。こちらはフタ（４）本体の外周面の一部に予めデザインされたチューブ状の熱収縮性樹脂フィルム（６）を被せて加熱（３）し、熱収縮密着させてフタ（４）の外観を装飾する様子を示している。こちらも図２と同様に再利用ペットボトル（２）本体の外観装飾と関連の有るデザインを施しても良い。
【符号の説明】
【００１５】  １  チューブ状の熱収縮性樹脂フィルム    ２  再利用ペットボトル    ３  加熱
４  フタ    ５  耐水性シール    ６  チューブ状の熱収縮性樹脂フィルム
【図１】
2014073871.tif 000003
【図２】
2014073871.tif 000004
【図３】
2014073871.tif 000005
(57)【要約】【課題】カップ麺や焼きそば、お弁当、サラダ等を食べるときに、液体用小袋の切り込み３が見つけづらく、調味料をかける際に手が汚れることを解消する。【解決手段】形状を三角形にすることにより、液体用小袋１の切り込み３が見つけやすくなり、縦にすると底辺部５に液体が溜まり、カットする際にこぼれ難くなり、底辺部分５を二つに折ることにより液体が取り出しやすくなるようにする。【選択図】図１
2014073875.tif 000002
【特許請求の範囲】
【請求項１】
液体用小袋の形状を三角形とする。
【発明の詳細な説明】
【技術分野】
【０００１】本発明は、液体用小袋の製造工程を簡略にし、かつ手を汚さずに食品等に調味料等をかけることができるようにしたものである。
【背景技術】
【０００２】従来は、四角く加工されており、三角形の液体用小袋はなかった。
【発明の概要】
【発明が解決しようとする課題】
【０００３】液体用小袋は四角く加工されており、加工部分が三辺に及び、切り取り部分が見つけづらく、かつ調味料を食品にかけるときに手を汚してしまうという難点があった。本発明は、この課題を解消するためになされたものである。
【課題を解決する手段】
【０００４】液体用小袋１の形状を三角形にすることにより、製造工程を簡略にし、切り取り部３を見つけやすくし、かつ底辺部分５を二つにおることりより、手を汚さずに液体を小袋１から出すことができるようにした。
【発明の効果】
【０００５】三角形の液体用小袋１を縦にすることにより底辺部分５に液体が溜まり、頂点部分３をカットする際に液体がこぼれ難くなり、かつ底辺部分５を二つに折ることにより液体が小袋１から出しやすくなり、手を汚さずにカップ麺や焼きそば、お弁当等に、液体をかけることができる。
【図面の簡単な説明】
【０００６】
【図１】本発明の正面図である。
【図２】展開図である。
【発明を実施するための形態】
【０００７】以下本発明の実施の形態について説明する。
（イ）四角の小袋素材７を二つに折り、三角形１とし、二辺を接着し、頂点部分６の少し下に切り込み３を入れる。
【符号の説明】
【０００８】１、液体小袋本体
２、接着部分
３、切り込み
４、液体の入る部分
５、底辺部分
６、頂点部分
７、展開図
【図１】
2014073875.tif 000003
【図２】
2014073875.tif 000004
(57)【要約】【課題】従来は、乗り物に乗り座席に座った後に居眠りをしてしまったとき、下車駅を通過してしまい乗り越しをすることがあった。【解決手段】これまでの乗り物の座席に座ってから後に、居眠りをしてしまっても下車しようとする駅に近づくと、事前に目を覚ましてもらうために新しく乗り物の座席に下車駅を指定し、下車駅をセットしておくことで座席に組み込まれたバイブロモ−タ−機能が下車駅手前での車掌さんの駅案内のアナウンスで、下車駅指定座席のバイブロモ−タ−機能のスイッチがは入り下車駅まで数回動くことで、居眠りをしていても振動により目が覚めるため乗り越しを防止することが出来るサ−ビスとして使用することが出来る。【選択図】図１
2014073818.tif 000002
【特許請求の範囲】
【請求項１】
乗り物に乗り座席に座ったとき、乗り越し防止のため車両内に設置された下車駅設定メモリ−に、あらかじめ指定された下車駅番号をセットし、なおかつ駅名表示板に示された下車駅名を確認後設定テンキ−で設定しておけば、着座後に居眠りをしていても下車駅手前での車掌さんによる駅案内でのアナウンスでバイブロモ−タ−機能にスイッチがは入り座席に組み込まれた、バイブロモ−タ−機能が下車駅までの間に数回動くき居眠りをしている人の体に振動が伝わる事で、居眠りから目がさめ乗り越しすることを防ぎ、慌てず、安全に下車駅に下車できるようにと使用することが出来る乗り物の座席。
【発明の詳細な説明】
【技術分野】
【０００１】この発明は、今までは乗り物に乗り椅子に座った時、居眠りをして下車駅を乗り越す事があったが座席に指定下車駅の下車案内を促すことが出来るようにするために、バイブロモ−タ−機能装置を組み込んで前もって指定しておいた下車駅の案内時、座席に組み込んだ下車案内装置のバイブロモ−タ−機能が動く事で下車駅での乗り越しを防ぐことが出来る乗り物の椅子。
【背景技術】
【０００２】現在、乗り物に乗り椅子に座って居眠りをしてしまった時、下車駅の乗り越しをすることがあったので、居眠りをしていても下車駅を知らせてくれることが望まれていた。
【発明の概要】
【発明が解決しようとする課題】
【０００３】これまでは、次のような欠点があった、これまでは乗り物に乗り椅子に座ったときに居眠りをして下車駅を通り越し乗り越しをすることがあったので、座席に座った状態で居眠りをしていても下車駅を車掌さんの車内案内時に座席に組み込まれたバイブロモ−タ−装置で、事前に下車駅を予約すことで体に振動を伝え目覚めを促してもらうことで慌てず安全に下車駅に下車が出来るようにと考えられたものである。
【課題を解決する為の手段】
【０００４】これまで乗り物の座席に座って居眠りをしていても、下車駅で事前に目を覚ましてもらうため乗車時に椅子に組み込まれた下車駅指定メモリ−にテンキ−であらかじめセットしておくと、下車駅手前での車掌さんの下車駅案内時に座席に組み込まれたバイブロモ−タ−機能が動くことで、居眠りをしていても体に振動が伝わり、居眠りから目覚められるようにと座席にバイブロモ−タ−機能を組み込んだ乗り物の椅子
【発明の効果】
【０００５】乗り物の座席に新たにバイブロモ−タ−機能を組み込むことで、乗車後に座席で居眠りをしてしまっても、下車駅手前での車掌さんの駅アナウンス以外に座席の振動により居眠りから目覚めさせることが出来るサ−ビスで乗り越しを防止ができ、慌てず、安全に下車することが出来るサ−ビスを提供することが出来る。
【図面の簡単な説明】
【０００６】
【図１】乗り物座席横面図
【図２】下車駅指定メモリ−
【図３】乗り物の座席正面図
【発明を実施する為の形態】
【０００７】以上、本願発明の実施の形態について説明する。
乗り物に乗り座席に座ったとき、乗り越し防止のために車両内に設置された下車駅設定メモリ−で下車駅番号をセットし、駅名表示板で駅名を確認後設定テンキ−でＯＮを押し設定することで着座後に居眠りをしていても、下車駅に近づくと車掌さんの車内案内アナウンスで、座席に組み込まれたバイブロモ−タ−機能にスイッチがは入り振動することで、体に振動が伝わり居眠りから目覚めるため、慌てず、安全に下車できるサ−ビスとして使用することが出来る。
【符号の説明】
【０００８】▲１▼車両の椅子
▲２▼下車駅設定器
▲３▼取り付け金具
▲４▼バイブロモ−タ−
▲５▼配線
▲６▼下車駅設定メモリ−
▲７▼設定テンキ−
▲８▼解除テンキ−
▲９▼駅名表示板
▲１０▼乗り物の床
【図１】
2014073818.tif 000003
【図２】
2014073818.tif 000004
【図３】
2014073818.tif 000005